(57)【要約】【課題】複素インピーダンスに基づく電池状態の推定について、推定に要する時間を抑えることのできる電池状態推定装置、及び電池状態推定方法を提供する。【解決手段】推定装置３０は、電池１０の充電電気量を推定する。推定装置３０は、測定用の電力の付与に基づいて電池１０の複素インピーダンスを測定するインピーダンス測定部４３と、測定した複素インピーダンスのうちで拡散領域内に対応し、かつ、対応する角速度が測定角速度であり、測定角速度が相違する２つの複素インピーダンスの測定角速度の差と２つの複素インピーダンスの成分の差との比からなるパラメータを算出するパラメータ算出部４５と、予め設定された情報であって、電池１０の充電電気量とパラメータとの関係を示す情報と、パラメータ算出部４５で算出したパラメータとに基づいて電池１０の充電電気量を推定する電気量算出部４６とを備える。【選択図】図１
2019117180.tif 000002
【特許請求の範囲】
【請求項１】
二次電池の充電電気量を推定する電池状態推定装置であって、
測定用の電力の付与に基づいて前記二次電池の複素インピーダンスを測定するインピーダンス測定部と、
前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出部と、
予め設定された情報であって、前記二次電池の充電電気量と前記パラメータとの関係を示す情報と、前記パラメータ算出部で算出した前記パラメータとに基づいて前記二次電池の充電電気量を推定する電気量推定部とを備える
ことを特徴とする電池状態推定装置。
【請求項２】
前記測定用の電力は、測定用の直流電力又は測定用の交流電力である
請求項１に記載の電池状態推定装置。
【請求項３】
二次電池の充電電気量を推定する電池状態推定装置であって、
測定用の交流電力の付与に基づいて前記二次電池の複素インピーダンスを測定するインピーダンス測定部と、
前記測定した複素インピーダンスのうち、拡散領域内にあり、かつ、測定角速度が相違する２つの複素インピーダンスの測定角速度の差と前記２つの複素インピーダンスの成分の差との比からなるパラメータを算出するパラメータ算出部と、
予め設定された情報であって、前記二次電池の充電電気量と前記パラメータとの関係を示す情報と、前記パラメータ算出部で算出した前記パラメータとに基づいて前記二次電池の充電電気量を推定する電気量推定部とを備える
ことを特徴とする電池状態推定装置。
【請求項４】
前記二次電池の温度を取得する温度取得部をさらに備え、
前記予め設定された情報には、前記二次電池の温度毎に設定された情報が含まれており、
前記電気量推定部は、前記二次電池の温度毎に設定された情報のうち前記取得した温度に対応する情報を前記予め設定された情報として選択する
請求項１〜３のいずれか一項に記載の電池状態推定装置。
【請求項５】
前記二次電池が満充電であるとき推定した前記二次電池の充電電気量と、予め設定された基準電気量であって、前記二次電池が満充電のときの適正な充電電気量である前記基準電気量とを比較して、前記二次電池の充電電気量がばらついているか否かを判定する第１のばらつき判定部を備える
請求項１〜４のいずれか一項に記載の電池状態推定装置。
【請求項６】
前記二次電池は組電池であって、
前記組電池を少なくとも一部の電池が重複しないように区分けされた２つのグループについて前記電気量推定部がそれぞれ推定した充電電気量を取得し、前記２つのグループの充電電気量の比較に基づいて前記組電池を構成する電池間に充電電気量のばらつきがあるか否かを判定するばらつき判定部を備える
請求項１〜４のいずれか一項に記載の電池状態推定装置。
【請求項７】
二次電池の温度を推定する電池状態推定装置であって、
前記二次電池の充電電気量を取得する電気量取得部と、
測定用の電力の付与に基づいて前記二次電池の複素インピーダンスを測定するインピーダンス測定部と、
前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出部と、
予め設定された情報であって、前記二次電池の充電電気量に対する前記パラメータと前記二次電池の温度との関係を示す情報に、前記電気量取得部で取得した充電電気量と前記パラメータ算出部で算出した前記パラメータとを適用することに基づいて前記二次電池の温度を推定する温度推定部とを備える
ことを特徴とする電池状態推定装置。
【請求項８】
前記２つの複素インピーダンスの成分はそれぞれ、複素インピーダンスの虚数成分である
請求項１〜７のいずれか一項に記載の電池状態推定装置。
【請求項９】
前記パラメータ算出部は、前記２つの複素インピーダンスの測定角速度の差の逆数を「Δ（ω−１）」とし、前記２つの複素インピーダンスの虚数成分の差を「ΔＺｉ」とし、前記パラメータを「ＱＤ」とするとき下記式に基づいて算出する
【数１】
2019117180.tif 000007
請求項８に記載の電池状態推定装置。
【請求項１０】
前記２つの複素インピーダンスの測定角速度は、前記２つの複素インピーダンスの実数成分に対する虚数成分の変化率の絶対値が０．５以上、かつ、２以下である範囲にある角速度である
請求項１〜９のいずれか一項に記載の電池状態推定装置。
【請求項１１】
前記二次電池はニッケル水素二次電池である
請求項１〜１０のいずれか一項に記載の電池状態推定装置。
【請求項１２】
二次電池の充電電気量を推定する電池状態推定方法であって、
測定用の電力の付与に基づいて前記二次電池の複素インピーダンスを測定するインピーダンス測定工程と、
前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出工程と、
予め設定された情報であって、前記二次電池の充電電気量と前記パラメータとの関係を示す情報と、前記パラメータ算出工程で算出した前記パラメータとに基づいて前記二次電池の充電電気量を推定する電気量推定工程とを備える
ことを特徴とする電池状態推定方法。
【請求項１３】
二次電池の温度を推定する電池状態推定方法であって、
前記二次電池の充電電気量を取得する電気量取得工程と、
測定用の電力の付与に基づいて前記二次電池の複素インピーダンスを測定するインピーダンス測定工程と、
前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出工程と、
予め設定された情報であって、前記二次電池の充電電気量に対する前記パラメータと前記二次電池の温度との関係を示す情報に、前記電気量取得工程で取得した充電電気量と前記パラメータ算出工程で算出した前記パラメータとを適用することに基づいて前記二次電池の温度を推定する温度推定工程とを備える
ことを特徴とする電池状態推定方法。
【発明の詳細な説明】
【技術分野】
【０００１】
本発明は、充電電気量や電池温度等の二次電池の電池状態を推定する電池状態推定装置、及び電池状態推定方法に関する。
【背景技術】
【０００２】
電気自動車やハイブリッド自動車等の車載用電源としては、エネルギー密度の高さからニッケル水素二次電池やリチウムイオン二次電池が用いられている。
こうした二次電池の電池状態を判定するため、二次電池に対し複素インピーダンス解析を行う技術が提案されている（例えば、特許文献１参照）。
【０００３】
特許文献１に記載の装置は、劣化度が測定される二次電池と、測定周波数及び測定温度と、測定される二次電池と同じ仕様の１つの二次電池の初期限界容量とを含む固有情報を記憶する記憶部と、二次電池の温度を測定する温度測定部とを備える。また、この装置は、記憶部の情報をもとに、４０℃以上７０℃以下の測定温度の二次電池に、０．５ｍＨｚ以上１０ｍＨｚ未満の測定周波数の交流信号を印加する電源部と、電源部が印加した交流信号により、二次電池の複素インピーダンス（図１２のインピーダンス曲線Ｌ１２１の垂直領域ｄｃ参照）を測定する測定部とを備える。さらに、この装置は、測定部の測定値を用いて算出する二次電池の限界容量と、記憶部に記憶される初期限界容量と、を用いて劣化度を検出する。
【先行技術文献】
【特許文献】
【０００４】
【特許文献１】国際公開第２０１４／０５４７９６号
【発明の概要】
【発明が解決しようとする課題】
【０００５】
ところで、図１２に示すように、通常、ナイキスト線図におけるインピーダンス曲線Ｌ１２１は、測定周波数の帯域に対応して複数の領域を有する。具体的には、帯域が高周波数側から低周波数側に向かって変化することに対応して、インピーダンス曲線Ｌ１２１は、回路抵抗に対応する「領域ａ」、溶液抵抗に対応する「領域ｂ」、反応抵抗に起因する複素インピーダンスに対応する「領域ｃ」、及び略直線状の拡散抵抗に対応する「拡散領域ｄ」を有する。そして、特許文献１に記載の装置では、「拡散領域ｄ」において、「領域ｃ」に続いている「直線領域ｄａ」よりも低周波数側の領域である「垂直領域ｄｃ」での虚数成分の値に基づいて二次電池の劣化度を測定する。しかしながら、「直線領域ｄａ」は、実数成分の変化量に対する虚数成分の変化量の割合が「１」に近い所定の値の範囲にある領域であり、「垂直領域ｄｃ」は、実数成分に対して虚数成分の変化が大きく、ナイキスト線図において略垂直に変化する領域である。
【０００６】
しかしながら、上述の技術は、「拡散領域ｄ」にあってより低周波数側である「垂直領域ｄｃ」を利用するため、複素インピーダンスの測定に時間を要することが避けられず、電池状態を適時に得ることが難しかった。
【０００７】
本発明は、このような実情に鑑みてなされたものであり、その目的は、複素インピーダンスに基づく電池状態の推定について、推定に要する時間を抑えることのできる電池状態推定装置、及び電池状態推定方法を提供することにある。
【課題を解決するための手段】
【０００８】
上記課題を解決する電池状態推定装置は、二次電池の充電電気量を推定する電池状態推定装置であって、測定用の電力の付与に基づいて前記二次電池の複素インピーダンスを測定するインピーダンス測定部と、前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出部と、予め設定された情報であって、前記二次電池の充電電気量と前記パラメータとの関係を示す情報と、前記パラメータ算出部で算出した前記パラメータとに基づいて前記二次電池の充電電気量を推定する電気量推定部とを備える。
【０００９】
電池状態推定装置として、前記測定用の電力は、測定用の直流電力又は測定用の交流電力である。
上記課題を解決する電池状態推定装置は、二次電池の充電電気量を推定する電池状態推定装置であって、測定用の交流電力の付与に基づいて前記二次電池の複素インピーダンスを測定するインピーダンス測定部と、前記測定した複素インピーダンスのうち、拡散領域内にあり、かつ、測定角速度が相違する２つの複素インピーダンスの測定角速度の差と前記２つの複素インピーダンスの成分の差との比からなるパラメータを算出するパラメータ算出部と、予め設定された情報であって、前記二次電池の充電電気量と前記パラメータとの関係を示す情報と、前記パラメータ算出部で算出した前記パラメータとに基づいて前記二次電池の充電電気量を推定する電気量推定部とを備える。
【００１０】
上記課題を解決する電池状態推定方法は、二次電池の充電電気量を推定する電池状態推定方法であって、測定用の電力の付与に基づいて前記二次電池の複素インピーダンスを測定するインピーダンス測定工程と、前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出工程と、予め設定された情報であって、前記二次電池の充電電気量と前記パラメータとの関係を示す情報と、前記パラメータ算出工程で算出した前記パラメータとに基づいて前記二次電池の充電電気量を推定する電気量推定工程とを備える。
【００１１】
このような構成または方法によれば、複素インピーダンスの測定結果に基づいて電池の充電電気量を推定することができる。二次電池において、拡散領域の複素インピーダンスは、例えば０．１Ｈｚ以下の低周波数帯で測定されるため、測定に比較的時間を要するものの、低周波数帯のうちの２点だけを利用することで充電電気量の推定に要する時間を抑えることができるようになる。つまり、拡散領域内の周波数域が０．１Ｈｚ以下である場合が多く、例えば、測定に０．１Ｈｚ〜０．０１Ｈｚを利用したとしても、１０秒から１００秒程度の実用的な時間範囲での測定が可能である。
【００１２】
また、複素インピーダンスの変化が直線状であるので、２つの複素インピーダンスの測定周波数の選択に係る制約も少ないとともに、複素インピーダンスの成分の差が取得しやすい。
【００１３】
なお、予め設定された情報は、モデルとなる１つの情報を用いてもよいが、二次電池の温度毎に設定された複数のモデルから選択したものであってもよい。
また、拡散領域内にある２つの複素インピーダンスの成分のうち、虚数成分を二次電池の電池状態の推定に利用することができるが、虚数成分と実数成分との間に相関がある場合、虚数成分を実数成分に置き換えて、実数成分を二次電池の電池状態の推定に利用することもできる。
【００１４】
好ましい構成として、前記二次電池の温度を取得する温度取得部をさらに備え、前記予め設定された情報には、前記二次電池の温度毎に設定された情報が含まれており、前記電気量推定部は、前記二次電池の温度毎に設定された情報のうち前記取得した温度に対応する情報を前記予め設定された情報として選択する。
【００１５】
このような構成によれば、二次電池の温度を考慮して充電電気量を高い精度で推定することができる。
好ましい構成として、前記二次電池が満充電であるとき推定した前記二次電池の充電電気量と、予め設定された基準電気量であって、前記二次電池が満充電のときの適正な充電電気量である前記基準電気量とを比較して、前記二次電池の充電電気量がばらついているか否かを判定する第１のばらつき判定部を備える。
【００１６】
このような構成によれば、二次電池について、充電電気量のばらつきの有無を判定することができる。
好ましい構成として、前記二次電池は組電池であって、前記組電池を少なくとも一部の電池が重複しないように区分けされた２つのグループについて前記電気量推定部がそれぞれ推定した充電電気量を取得し、前記２つのグループの充電電気量の比較に基づいて前記組電池を構成する電池間に充電電気量のばらつきがあるか否かを判定するばらつき判定部を備える。
【００１７】
このような構成によれば、複数の単電池や複数の電池モジュールから構成される組電池について、充電電気量のばらつきの有無を判定することができる。
上記課題を解決する電池状態推定装置は、二次電池の温度を推定する電池状態推定装置であって、前記二次電池の充電電気量を取得する電気量取得部と、測定用の電力の付与に基づいて前記二次電池の複素インピーダンスを測定するインピーダンス測定部と、前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出部と、予め設定された情報であって、前記二次電池の充電電気量に対する前記パラメータと前記二次電池の温度との関係を示す情報に、前記電気量取得部で取得した充電電気量と前記パラメータ算出部で算出した前記パラメータとを適用することに基づいて前記二次電池の温度を推定する温度推定部とを備える。
【００１８】
上記課題を解決する電池状態推定方法は、二次電池の温度を推定する電池状態推定方法であって、前記二次電池の充電電気量を取得する電気量取得工程と、測定用の電力の付与に基づいて前記二次電池の複素インピーダンスを測定するインピーダンス測定工程と、前記測定した複素インピーダンスのうちで拡散領域内に対応し、かつ、対応する角速度が測定角速度であり、前記測定角速度が相違する２つの複素インピーダンスの測定角速度の差と前記２つの複素インピーダンスの成分の差との比からなるパラメータを算出するパラメータ算出工程と、予め設定された情報であって、前記二次電池の充電電気量に対する前記パラメータと前記二次電池の温度との関係を示す情報に、前記電気量取得工程で取得した充電電気量と前記パラメータ算出工程で算出した前記パラメータとを適用することに基づいて前記二次電池の温度を推定する温度推定工程とを備える。
【００１９】
このような構成または方法によれば、複素インピーダンスの測定結果に基づいて電池の温度を推定することができる。二次電池において、拡散領域の複素インピーダンスは、例えば０．１Ｈｚ以下の低周波数帯で測定されるため、測定に比較的時間を要するものの、低周波数帯のうちの２点だけを利用することで電池の温度の推定に要する時間を抑えることができるようになる。
【００２０】
また、通常、電池の温度は電池の表面で図られるため、充放電に強い影響を与える極板群の温度そのものを得ることはできなかった。この点、この構成によれば、電池の温度として、極板群内の電流が流れる部分の状態に基づいて極板群自体の温度が推定される。よって、電池の温度を高い精度で得ることができるようになる。
【００２１】
好ましい構成として、前記２つの複素インピーダンスの成分はそれぞれ、複素インピーダンスの虚数成分である。
このような構成によれば、拡散領域内にある２つの複素インピーダンスの虚数成分に基づいて電池状態を推定することができるようになる。拡散領域内の複素インピーダンスは、低周波数側になると実数成分の変化量が小さくなる傾向にあるため、虚数成分を利用することで複素インピーダンスの測定角速度の選択自由度を高くすることができる。
【００２２】
好ましい構成として、前記パラメータ算出部は、前記２つの複素インピーダンスの測定角速度の差の逆数を「Δ（ω−１）」とし、前記２つの複素インピーダンスの虚数成分の差を「ΔＺｉ」とし、前記パラメータを「ＱＤ」とするとき下記式に基づいて算出する。
【００２３】
【数１】
2019117180.tif 000003
このような構成によれば、測定角速度についてその差の逆数に対する虚数成分の差の割合のさらに逆数をパラメータとすることで、このパラメータと、予め設定された情報であって、二次電池の電池状態とパラメータとの関係を示す情報とに基づいて二次電池の電池状態を推定することができるようになる。また、２つの複素インピーダンスの測定角速度の差として、測定角速度についてその差の逆数を用いることで、傾きの逆数を線形、もしくは線形に近いかたちで得ることができるようになる。
【００２４】
好ましい構成として、前記２つの複素インピーダンスの測定角速度は、前記２つの複素インピーダンスの実数成分に対する虚数成分の変化率の絶対値が０．５以上、かつ、２以下である範囲にある角速度である。
【００２５】
このような構成によれば、拡散領域内にある２つの複素インピーダンスのうち、実数成分に対する虚数成分の変化率が「１」に近い範囲にあるため、虚数成分に代えて実数成分を利用したとしても二次電池の複素インピーダンスから電池状態を推定することができるようになる。
【００２６】
好ましい構成として、前記二次電池はニッケル水素二次電池である。
ニッケル水素二次電池は、電圧とＳＯＣとの関係が比例関係ではないので電圧に基づいて充電電気量等の電池状態を推定することが困難である。この点、このような構成によれば、拡散領域内における複素インピーダンスの成分の変化に基づいて電池状態を推定することから、ニッケル水素二次電池にあっても、その電池状態を好適に推定することができるようになる。
【発明の効果】
【００２７】
この発明によれば、複素インピーダンスに基づく電池状態の測定について、測定に要する時間を抑えることができる。
【図面の簡単な説明】
【００２８】
【図１】電池状態推定装置を具体化した第１の実施形態について、その概略構成を示すブロック図。
【図２】同実施形態において、充電電気量とパラメータと関係を示す情報を設定する手順を示すフローチャート。
【図３】同実施形態において、二次電池について測定した複素インピーダンスから作成されるナイキスト線図の一例を示すグラフ。
【図４】同実施形態において、複素インピーダンスの測定角速度の逆数と虚数成分との関係の一例を示すグラフ。
【図５】同実施形態において、複素インピーダンスに基づくパラメータと充電電気量との関係を示すグラフ。
【図６】同実施形態において、複素インピーダンスから充電電気量を推定する手順を示すフローチャート。
【図７】同実施形態において、組電池を構成する電池からなる２つのグループについて充電電気量のばらつきを判定する手順を示すフローチャート。
【図８】電池状態推定装置を具体化した第２の実施形態について、その概略構成を示すブロック図。
【図９】同実施形態において、複素インピーダンスに基づくパラメータと充電電気量との関係を電池温度の別に示すグラフ。
【図１０】同実施形態において、電池温度とパラメータとの関係を示す情報を設定する手順を示すフローチャート。
【図１１】同実施形態において、複素インピーダンスに基づくパラメータから電池温度を推定する手順を示すフローチャート。
【図１２】二次電池について測定した複素インピーダンスに基づいて作成されるナイキスト線図の一例を示すグラフ。
【図１３】電池状態推定装置を具体化した第３の実施形態について、その概略構成を示す図であって、（ａ）は測定用電流・電圧のグラフ、（ｂ）は（ａ）をそれぞれ周波数変換したグラフ、（ｃ）は（ｂ）の結果から算出されたインピーダンスから作成されるナイキスト線図。
【図１４】電池状態推定装置を具体化したその他の実施形態について、測定用電流電圧と交流電流電圧の測定結果との関係を示す図。
【発明を実施するための形態】
【００２９】
（第１の実施形態）
図１〜図７に従って、電池状態推定装置及び電池状態推定方法を具体化した第１の実施形態について説明する。この電池状態推定装置及び電池状態推定方法は、例えば、車両に搭載される二次電池等の電池１０の電池状態の１つである充電電気量の推定に用いられる。本実施形態では、電池１０はニッケル水素二次電池である。また、充電電気量は、電池の総容量と充電状態（ＳＯＣ：Ｓｔａｔｅ  ｏｆ  Ｃｈａｒｇｅ）とから算出される値であって、ＳＯＣの値に相関を有する。ここで、電池の総容量は、予め定まる電気量であって、新品の電池に充電可能な電気量である。ＳＯＣは、電池の総容量に対する充電電気量の割合［％］であることから「充電電気量＝電池の総容量×ＳＯＣ」の関係を有する。以下では、説明の便宜上、充電電気量とＳＯＣとの両方を用いて説明する。
【００３０】
まず、図１を参照して、電池１０の特性を測定する測定回路と、電池１０の充電電気量を推定する電池状態推定装置としての推定装置３０の構成について説明する。
図１に示すように、電池１０の特性を測定する測定回路は、電池１０と、電池１０の端子間に直流電流及び交流電流を供給する測定用充放電装置２０とを備える。また測定回路は、電池１０の端子間の電圧を測定する電圧測定器２１と、測定用充放電装置２０と電池１０との間に流れる電流を測定する電流測定器２２とを備える。
【００３１】
測定用充放電装置２０は、所定の電流量の直流電流を電池１０に充電することができるとともに、所定の電流量の直流電流を電池１０から放電させることができる。すなわち、測定用充放電装置２０は、電池１０のＳＯＣ（充電電気量）を調整することができる。
【００３２】
また、測定用充放電装置２０は、インピーダンス測定用の交流電流を電池１０に供給することができる。測定用充放電装置２０は、所定の測定周波数の交流電流を生成し、この生成した交流電流を電池１０の端子間に出力する。また、測定用充放電装置２０は、交流電流の測定周波数を変化させることが可能である。測定用充放電装置２０は、出力電流と測定周波数の周波数範囲とが設定されており、この設定された出力電流の交流電流を、同じく設定された周波数範囲で変化する測定周波数として出力させる。設定される周波数の範囲としては、例えば、高周波数側としての１００ｋＨｚから低周波数側としての１ｍＨｚまでの範囲である。しかし、これに限られるものではなく、高周波数側が１００ｋＨｚよりも高くなってもよいし、低周波数側が１ｍＨｚよりも低くなってもよい。また、図１２に示す「拡散領域ｄ」のうちの「直線領域ｄａ」を目的とする周波数範囲、例えば、０．１Ｈｚから０．０１Ｈｚまでの範囲を出力するものであってもよい。また、「拡散領域ｄ」のうちの相違する２つ以上の周波数、例えば、０．１Ｈｚと０．０１Ｈｚとの間にある周波数を出力するものであってもよい。なお、上でも述べたように、角速度と周波数とは「角速度＝２π×周波数」の関係にあることが明らかであるから、説明の便宜上、角速度と周波数とを両方用いて説明する。
【００３３】
測定用充放電装置２０は、出力している交流電流の設定値及び測定周波数の設定値に関する各信号を推定装置３０に出力する。また、測定用充放電装置２０は、推定装置３０から入力される出力開始の信号及び出力停止の信号に応じて交流電流の出力及び停止を切り替える。
【００３４】
電圧測定器２１は、電池１０の電極間に対して測定した交流電圧及び直流電圧に対応する電圧信号を推定装置３０に出力する。
電流測定器２２は、測定用充放電装置２０と電池１０との間において測定した交流電流及び直流電流に対応する電流信号を推定装置３０に出力する。
【００３５】
電池１０には、電池の温度を測定する温度測定器２３が取り付けられている。温度測定器２３は、測定した電池１０の温度に対応する温度信号を推定装置３０に出力する。
推定装置３０は、電池１０の充電電気量を推定する。推定装置３０は、推定した電池１０の充電電気量を表示したり、外部に出力したりしてもよい。例えば、外部の電池制御装置（図示略）は、推定装置３０から出力された電池１０の充電電気量に応じた充放電制御を電池１０に対して行うようにしてもよい。
【００３６】
推定装置３０は、電圧測定器２１から入力した電圧信号に基づいて電池１０の端子間電圧を取得し、電流測定器２２から入力した電流信号に基づいて測定用充放電装置２０と電池１０との間に流れる電流を取得する。推定装置３０は、測定用充放電装置２０から入力する信号から交流電流の設定情報等を取得する。推定装置３０は、温度測定器２３から入力した温度信号に基づいて電池１０の温度を取得する。
【００３７】
推定装置３０は、電池１０の充電電気量の推定に関する算出処理を行う処理部４０と、電池１０の充電電気量の算出処理に用いられる情報を保持する記憶部５０とを備える。
記憶部５０は、ハードディスクやフラッシュメモリなどの不揮発性の記憶装置であり、各種データを保持する。本実施形態では、記憶部５０は、充電電気量を算出するために必要とされるパラメータと充電電気量との相関データ５１と、算出用データ５２とを保持している。算出用データ５２としては、電池１０の総容量等が設定されている。
【００３８】
処理部４０は、ＣＰＵやＲＯＭ、ＲＡＭ等で構成されたマイクロコンピュータを含んで構成される。処理部４０は、推定装置３０が取得した電圧、電流、測定周波数等の情報を利用できる。また、処理部４０は、記憶部５０との間でデータの授受が可能である。処理部４０は、例えばＲＯＭやＲＡＭに保持された各種プログラムをＣＰＵで実行することにより処理部４０における各種処理を実行する。
【００３９】
本実施形態では、図２に示すように、処理部４０は、パラメータと充電電気量との関連を示す相関データ５１を取得するとともに、記憶部５０に記憶させる処理を実行することができる。また、図６に示すように、処理部４０は、電池１０から取得した複素インピーダンスＺに基づいて当該電池１０の充電電気量を推定する処理を実行することができる。さらに、図７に示すように、電池１０についてＳＯＣのばらつきの有無を判定する処理を実行することができる。なお、ばらつきの有無の判定は行えなくてもよい。
【００４０】
処理部４０は、電池１０のＳＯＣを調節するＳＯＣ調節部４１と、電池１０の電池温度を測定する温度測定部４２とを備える。また、処理部４０は、複素インピーダンスＺを測定するインピーダンス測定部４３と、ナイキスト線図を作成するナイキスト線図作成部４４と、パラメータを算出するパラメータ算出部４５と、充電電気量を算出する電気量算出部４６とを備える。
【００４１】
ＳＯＣ調節部４１は、処理部４０で複素インピーダンスに基づくパラメータと充電電気量との関連を示す相関データ５１を取得する際、電池１０のＳＯＣを相関データ５１の取得に適切な所定のＳＯＣに調整する。ＳＯＣ調節部４１は、測定用充放電装置２０に対して電流の充放電の指示を行うことで、電池１０を順次、所定のＳＯＣに調整する。例えば、所定のＳＯＣとしては、４０％，４５％，５０％，５５％，６０％等が挙げられる。また、ＳＯＣ調節部４１は、電池１０を周知の方法で測定するようにしてもよいし、電池１０の制御装置等から当該電池１０のＳＯＣを取得するようにしてもよい。なお、ここで測定されるＳＯＣは、本実施形態で推定されるＳＯＣよりもその測定に時間を要することで測定精度が維持されている。
【００４２】
温度測定部４２は、電池１０の温度を測定する。例えば、温度測定部４２は、電池１０の筐体に取り付けられたり、電池内に設置されている周知の温度計測部からの信号が入力されたりする。
【００４３】
インピーダンス測定部４３では、電池１０の複素インピーダンスＺを測定する処理（インピーダンス測定工程）が行われる。インピーダンス測定部４３は、測定用充放電装置２０に測定の開始や終了を指示する。インピーダンス測定部４３は、測定の開始から終了までの間に取得した電圧及び電流に基づいて電池１０の複素インピーダンスＺを測定する。複素インピーダンスＺの単位は［Ω］（オーム）である。複素インピーダンスＺは、そのベクトル成分である実数成分Ｚｒ［Ω］及び虚数成分Ｚｉ［Ω］によって式（１）のように示される。なお、「ｊ」は虚数単位である。以下、単位［Ω］は省略する。
【００４４】
【数２】
2019117180.tif 000004
ナイキスト線図作成部４４は、複数の測定周波数における複素インピーダンスＺに基づいて、それらのベクトル成分である実数成分Ｚｒと虚数成分Ｚｉとから、ナイキスト線図を作成する。
【００４５】
例えば、図３に示すように、ナイキスト線図作成部４４は、ナイキスト線図として、横軸が実数軸、縦軸が虚数軸である複素平面にインピーダンス曲線Ｌ２１を作成する。なお、インピーダンス曲線Ｌ２１は、所定のＳＯＣである電池１０に対応するナイキスト線図の一例である。インピーダンス曲線Ｌ２１は、複素インピーダンスＺの実数成分Ｚｒ及び虚数成分Ｚｉの大きさが複素平面にプロットされたものである。このインピーダンス曲線Ｌ２１は、測定用充放電装置２０から電池１０に供給される交流電流の測定周波数を変化させて測定された複素インピーダンスＺによるものである。
【００４６】
図３において、インピーダンス曲線Ｌ２１中の各点は１つの測定周波数を示している。測定周波数は、図３において下側が高周波数側であり、上側が低周波数側である。インピーダンス曲線Ｌ２１は、電池１０のＳＯＣや電池温度によって変化する。また、ニッケル水素二次電池、リチウムイオン二次電池といった電池種別によって変化する。さらに同じ電池種別でもセル数や容量等が異なる場合には変化する。
【００４７】
ここで、図３及び図１２を参照して、電池１０のインピーダンス曲線Ｌ２１について詳述する。
図３に示すように、電池１０のインピーダンス曲線Ｌ２１は、電池１０の特性に対応する複数の領域に区分される。複数の領域は、測定周波数の高周波数側から低周波数側に向けて、「領域ａ」、「領域ｂ」、「領域ｃ」、及び「拡散領域ｄ」に分けられる。「領域ａ」は、回路抵抗に対応する回路抵抗領域である。「領域ｂ」は、溶液抵抗に対応する溶液抵抗領域である。「領域ｃ」は、反応抵抗に起因する複素インピーダンスＺに対応する反応抵抗領域である。「拡散領域ｄ」は、略直線状の拡散抵抗に対応する領域である。回路抵抗は、活物質や集電体内の接触抵抗などからなる配線等のインピーダンス等である。溶液抵抗は、セパレータ内の電解液内のイオンが移動する際の抵抗等の電子の移動抵抗である。反応抵抗は、電極反応における電荷移動の抵抗等である。拡散抵抗は、物質拡散が関与したインピーダンスである。なお、各抵抗は相互に影響を及ぼし合うため、各領域ａ，ｂ，ｃ，ｄを各抵抗のみの影響を受ける部分のみに区分することは困難であるが、少なくともインピーダンス曲線Ｌ２１の各領域ａ，ｂ，ｃ，ｄは、それぞれが最も大きな影響を受ける抵抗成分によってその曲線の大まかな挙動が定まる。例えば、「領域ｃ」は負極の態様の影響を大きく受け、「拡散領域ｄ」は正極の態様の影響を大きく受ける。
【００４８】
大まかに説明すると、電池１０のインピーダンス曲線Ｌ２１は、正極のインピーダンスと負極のインピーダンスとの合成により得られる曲線である。例えば、「拡散領域ｄ」に対応する周波数範囲においては、正極のインピーダンスは大きく変化する一方、負極のインピーダンスの変化は小さい。つまり、インピーダンス曲線Ｌ２１の「拡散領域ｄ」は、正極のインピーダンスの影響が大きい領域であって、正極の状態が反映されていると言える。これに対し、「領域ｃ」に対応する周波数範囲においては、負極のインピーダンスは大きく変化する一方、正極のインピーダンスの変化は小さい。つまり、インピーダンス曲線Ｌ２１の「領域ｃ」は、負極のインピーダンスの影響が大きい領域であって、負極の状態が反映されていると言える。
【００４９】
インピーダンス曲線Ｌ２１によれば、図３においては、「拡散領域ｄ」に対応する周波数範囲は「０．１Ｈｚ」以下であり、「０．０１Ｈｚ」までの測定結果が示されている。また、「領域ｃ」に対応する周波数範囲は「０．１Ｈｚ」より大きく「１００Ｈｚ」以下である。ちなみに、「領域ｂ」に対応する周波数範囲は「１００Ｈｚ」及びその近傍、「領域ａ」に対応する周波数範囲は「１００Ｈｚ」よりも高い。なお、「拡散領域ｄ」は、「領域ｃ」よりも低い周波数域であれば「０．１Ｈｚ」以下より大きくても小さくてもよい。
【００５０】
また、図１２に示すように、「拡散領域ｄ」は、「直線領域ｄａ」、「垂直領域ｄｃ」及び「領域ｄｂ」を含む。「直線領域ｄａ」は、実数成分の変化量に対する虚数成分の変化量の割合が「１」に近い値になる領域である。つまり、図において、４５°の角度に近い範囲であって、換言すると、複素インピーダンスＺの実数成分に対する虚数成分の変化率の絶対値が０．５以上、かつ、２以下である範囲である。よって、「直線領域ｄａ」は虚数成分と実数成分との間に相関がある。「垂直領域ｄｃ」は、実数成分に対して虚数成分が大きく変化する領域であって、図１２において、グラフが略垂直（略９０°の角度）に変化する領域である。「領域ｄｂ」は、「直線領域ｄａ」から「垂直領域ｄｃ」へ変化する境目とその周辺の領域である。
【００５１】
ところで、電池１０は、ニッケル水素二次電池の特性と測定値の実用性とから、複素インピーダンスＺの測定が「直線領域ｄａ」で終了することが一般的である。また、ニッケル水素二次電池は、「垂直領域ｄｃ」が生じる測定周波数が、リチウムイオン二次電池で「垂直領域ｄｃ」が生じる周波数よりも低い傾向にある。また、電池１０の「垂直領域ｄｃ」をより確実に測定しようとすると、電池の温度を上げるなど、測定環境を整え、かつ、測定周波数を「０．０１Ｈｚ」よりももっと低周波数であって測定に時間を要する周波数にする必要がある。また、「垂直領域ｄｃ」が生じる測定周波数を予め知ることができないことから、測定に要する無駄時間が長時間にもなりかねない。そして、「垂直領域ｄｃ」の値を測定しようとするとき、測定に要する時間の想定が困難であることは、車両等で使用中の電池１０に対して「垂直領域ｄｃ」の値を測定しようとを現実的ではないものとしている。
【００５２】
図１に示す、パラメータ算出部４５は、「拡散領域ｄ」内にあり、かつ、測定周波数が相違する２つの複素インピーダンスの測定周波数の差と、２つの複素インピーダンスの成分の差との比からなるパラメータ（図４参照）を算出する（パラメータ算出工程）。ここで、２つの複素インピーダンスを「Ｚ１」，「Ｚ２」、複素インピーダンス「Ｚ１」の虚数成分を「Ｚｉ１」、測定周波数を「ｆ１」とし、複素インピーダンス「Ｚ２」の虚数成分を「Ｚｉ２」、測定周波数を「ｆ２」とする。
【００５３】
詳述すると、パラメータ算出部４５は、電池１０の２つの複素インピーダンス「Ｚ１」，「Ｚ２」を測定したときの２つの複素インピーダンスの測定角速度の差（変化量）「Δω＝２π×（ｆ１−ｆ２）」と、２つの複素インピーダンスの虚数成分の差（変化量）「ΔＺｉ＝Ｚｉ１−Ｚｉ２」とを算出する。
【００５４】
そして、図４のグラフＬ３１に示すように、２つの複素インピーダンスの測定角速度の逆数の差「Δ（ω−１）」で、２つの複素インピーダンスの虚数成分の差「ΔＺｉ」を割ることで、虚数成分の差が有している傾きであって、測定角速度の差の逆数に対する傾きがパラメータ「ＱＤ」式（２）として算出される。つまり、式（２）は、「Δ（ω−１）」に対する「ΔＺｉ」の傾き（比）について、その逆数がパラメータ「ＱＤ」であることを示している。なお、パラメータ「ＱＤ」を正の値として算出することが好ましいことから、必要に応じて、「Δ（ω−１）」や「ΔＺｉ」を絶対値としてもよい。
【００５５】
【数３】
2019117180.tif 000005
上述したように、パラメータ「ＱＤ」は、式（２）が変形された式（３）に基づいて算出することもできる。パラメータ算出部４５は、パラメータを式（２）及び式（３）のいずれから演算するように設定されていてもよい。
【００５６】
【数４】
2019117180.tif 000006
電気量算出部４６は、記憶部５０に予め設定されている情報であるパラメータと充電電気量との相関データ５１と、パラメータ算出部４５で算出したパラメータ「ＱＤ」とに基づいて、電池１０に推定される充電電池量を算出する（充電電気量推定工程）。
【００５７】
ここで、図５を参照して、パラメータと充電電気量との相関データ５１について説明する。パラメータと充電電気量との相関データ５１は、電池１０の複素インピーダンスＺについて「拡散領域ｄ」内におけるパラメータ「ＱＤ」と電池１０のＳＯＣとの関係を示す情報である。
【００５８】
図５には、パラメータと充電電気量との相関データ５１の一例であるグラフＬ５１が示されている。具体的には、グラフＬ５１は、パラメータ「ＱＤ」（＝（ΔＺｉ／Δ（ω−１））−１）と電池１０の充電電気量［Ａｈ］との関係を示す。グラフＬ５１は、測定対象としての電池１０と同じ仕様で製造された電池１０について、予め測定して得られた複素インピーダンスＺとそのときの充電電気量とに基づいて作成されたものである。なお、グラフＬ５１は、測定値から作成されてもよいし、測定値に理論や経験を併せて作成されたものであってもよいし、理論や経験に基づいて作成された情報であってもよい。また、グラフＬ５１は、電池温度に応じて変化するものであることから、所定の電池温度毎に設定されてもよい。所定の電池温度毎に異なるグラフＬ５１を有するようにすれば、二次電池の充電電気量をより好適に推定することができる。
【００５９】
つまり、図１の記憶部５０に保持されているパラメータと充電電気量との相関データ５１は、記憶部５０に予め設定されている情報であって、電池１０の複素インピーダンスＺの「拡散領域ｄ」内における複素インピーダンスＺに関連するパラメータ「ＱＤ」と電池１０の充電電気量との関係を示す情報である。
【００６０】
図２を参照して、相関データ５１を設定する処理の手順について説明する。相関データ５１は、同じ仕様で製造された電池１０について、複数の相違するＳＯＣのそれぞれにおいて複素インピーダンスＺを測定して作成されるので、ＳＯＣを変更する都度、相関データ５１を設定する処理が繰り返される。ここでは、１つのＳＯＣについて複素インピーダンスＺを測定して相関データ５１のうちの１つのデータが設定されることについて説明し、説明の便宜上、複数のＳＯＣのそれぞれについて相関データ５１のデータを取得することについての説明は割愛する。
【００６１】
処理部４０は、電池温度調整工程（図２のステップＳ１０）、ＳＯＣ調整工程（図２のステップＳ１１）、及び、インピーダンス測定工程（図２のステップＳ１２）を備える。処理部４０は、パラメータ算出工程（図２のステップＳ１３）、パラメータと充電電気量との相関データの算出工程（図２のステップＳ１４）、及び、相関データ記憶工程（図２のステップＳ１５）を備える。相関データの値は、電池１０の温度及びＳＯＣに影響される。そこで、相関データ５１を設定する処理では、まず、電池温度調整工程とＳＯＣ調整工程とが行われる。
【００６２】
相関データ５１の設定が必要に応じて開始されると、電池温度調整工程（ステップＳ１０）では、電池１０の温度を温度測定部４２で取得するとともに、必要に応じて電池１０を規定の温度に調整する。例えば、電池１０の温度が適切であれば、次のステップに進み、調整する必要があれば温度を調整する。例えば、電池１０を２５℃の環境下に所定時間静置することで電池１０の温度を規定の温度（例えば２５℃）にする。電池温度調整工程では、処理部４０が温度調節が必要であることを示す信号を出力し、外部の温度調節装置等が当該信号に応じて環境温度を調整してもよい。
【００６３】
ＳＯＣ調整工程（ステップＳ１１）では、ＳＯＣ調節部４１で電池１０を規定のＳＯＣが調整される。相関データ５１には、複数のＳＯＣにおける複素インピーダンスＺの測定が必要であることから、ＳＯＣは順次変更されて、各ＳＯＣにおける複素インピーダンスが測定されるようになっている。
【００６４】
インピーダンス測定工程（ステップＳ１２）では、インピーダンス測定部４３で電池１０の複素インピーダンスＺを測定し、ナイキスト線図作成部４４で測定した複素インピーダンスＺに基づくインピーダンス曲線Ｌ２１を作成する。また、ナイキスト線図作成部４４は、インピーダンス曲線Ｌ２１の「拡散領域ｄ」を特定する。
【００６５】
パラメータ算出工程（ステップＳ１３）では、パラメータ算出部４５で、インピーダンス曲線Ｌ２１に特定された「拡散領域ｄ」のうちから、２つの複素インピーダンス「Ｚ１」，「Ｚ２」を取得する。例えば、測定周波数が０．１Ｈｚときの複素インピーダンスを「Ｚ１」、測定周波数が０．０１Ｈｚのときの複素インピーダンスを「Ｚ２」とする。そして、上記式（３）を適用してパラメータ「ＱＤ」を算出する。
【００６６】
パラメータと充電電気量との相関データ算出工程（ステップＳ１４）では、パラメータ「ＱＤ」とＳＯＣとの関係に基づいて、グラフＬ５１用の基礎データが作成される。すなわち、充電電気量がＳＯＣに基づいて算出されるとともに、当該算出された充電電気量に対してパラメータ「ＱＤ」が対応付けられる。
【００６７】
相関データ記憶工程（ステップＳ１５）では、算出された充電電気量に対してパラメータ「ＱＤ」がグラフＬ５１用の基礎データとして記憶される。例えば、図５に示すように、充電電気量が「０Ａｈ」、「０．１Ａｈ」、「０．９Ａｈ」、「１．８Ａｈ」、「２．７Ａｈ」及び「３．２Ａｈ」程度であるときに対応する各パラメータ「ＱＤ」が設定される。
【００６８】
こうして設定されたデータに基づいて作成されるグラフＬ５１によれば、パラメータ「ＱＤ」に対応する電池１０の充電電気量を推定することができるようになる。
（作用）
図６を参照して、電池１０の充電電気量を推定する手順について説明する。
【００６９】
処理部４０は、電池温度調整工程（図６のステップＳ２０）、インピーダンス測定工程（図６のステップＳ２１）、及び、パラメータ算出工程（図６のステップＳ２２）を備える。また、処理部４０は、相関データとパラメータとの対比工程（図６のステップＳ２４）、及び、充電電気量推定工程（図６のステップＳ２５）を備える。なお、図６に示す、電池温度調整工程（ステップＳ２０）、インピーダンス測定工程（ステップＳ２１）及びパラメータ算出工程（ステップＳ２２）はそれぞれ、図２に示す、電池温度調整工程（ステップＳ１０）、インピーダンス測定工程（ステップＳ１２）及びパラメータ算出工程（ステップＳ１３）と同様の工程である。よって、前述の同様の工程（ステップ）については、重複する説明は割愛する。
【００７０】
処理部４０は、電池温度調整工程（ステップＳ２０）で電池１０の温度を充電電気量の推定に適した温度に調整する。なお、処理部４０は、電池１０の温度を調節してもよいし、取得した温度に基づいて温度補正を算出に用いるパラメータに行ったり、取得した温度に対応する相関データ５１を選択するようにしたりしてもよい。処理部４０は、インピーダンス測定工程（ステップＳ２１）で２つの複素インピーダンスを測定してから、パラメータ算出工程（ステップＳ２２）でパラメータを算出する。
【００７１】
処理部４０は、電気量算出部４６で、先に算出されたパラメータをグラフＬ５１に対比し（相関データとパラメータとの対比工程（ステップＳ２４））、対比したグラフＬ５１からパラメータに対応する充電電気量を取得して、この取得した充電電気量を電池１０の充電電気量として推定する（充電電気量推定工程（ステップＳ２５））。例えば、図５を参照すると、先に算出されたパラメータが「ＱＤ＝１．０」であることに基づいて充電電気量が「２Ａｈ」であることが推定される。また例えば、先に算出されたパラメータが「ＱＤ＝１．８」であることに基づいて充電電気量が「４Ａｈ」であることが推定される。これにより、電池１０から測定された複素インピーダンスＺに基づいて電池１０の充電電気量が算出されるようになる。
【００７２】
処理部４０は、２つの複素インピーダンスの測定周波数を、「拡散領域ｄ」のうちの高周波数側に選択することによって、「垂直領域ｄｃ」等の低周波数側を選択する場合に比較して、充電電気量の推定に要する時間を抑えることができるようになる。
【００７３】
次に、充電電気量の推定に基づいて、電池１０を構成する単電池間に生じている充電電気量の相違、いわゆる、ばらつきの判定について説明する。例えば、電池１０は、複数の電池モジュールや単電池から構成される組電池である。なお、本実施形態では、処理部４０はばらつき判定を行うばらつき判定部４８を備え、ばらつき判定部４８は、第１のばらつき判定と、第２のばらつき判定とを行うことができる。なお、ばらつき判定部４８は、第１のばらつき判定と、第２のばらつき判定とのどちらか一方のみを行うものでもよい。
【００７４】
ばらつき判定部４８は、第１のばらつき判定で、電池１０が満充電であることに基づいて電池１０を構成する各電池について充電電気量にばらつき判定を行う。詳述すると、記憶部５０は、算出用データ５２に、電池１０が満充電であるときの適正な充電電気量である基準電気量を予め保持している。つまり、基準電気量は、電池１０を構成する各電池が適正な充電電気量であるときに測定されるはずの充電電気量である。よって、基準電気量よりも、推定された充電電気量が少なければ、電池１０を構成する各電池の少なくとも１つが充電電気量の低い状態にあって、電池１０において充電電気量がばらついていると判定される。基準電気量は、電池温度の別に設定されてもよい値である。また、基準電気量は、測定結果に基づく値でもよいし、経験値や理論値であってもよい。
【００７５】
第１のばらつき判定の処理手順について説明する。
第１のばらつき判定では、まず、処理部４０は、電池１０を満充電させる。そして、処理部４０は、前述した充電電気量を推定する手順（図６のステップＳ２０〜Ｓ２５）で満充電させた電池１０の充電電気量を推定し、この推定した充電電気量を基準電気量と比較する。処理部４０は、推定した充電電気量が基準電気量に対して所定の範囲内にあれば、電池１０にはばらつきがないと判定する。一方、推定した充電電気量が基準電気量に対して所定の範囲外にあれば、電池１０にはばらつきがあると判定する。これにより、電池１０が満充電であることに基づいて電池１０を構成する各電池について充電電気量にばらつきが判定される。
【００７６】
ばらつき判定部４８は、第２のばらつき判定で、電池１０について、総容量が同じ容量となるように２つにグループ分けした単電池又は電池モジュールの充電電気量を比較することに基づいてばらつき判定を行う。ここでは、電池１０を構成する単電池を同数の単電池からなる第１のグループと第２のグループとに分け、この２つのグループの充電電気量を比較することに基づいてばらつきを判定する場合について説明する。
【００７７】
詳述すると、図７に示すように、第２のばらつき判定が開始されると、処理部４０は、第１のグループについて充電電気量を推定する第１の充電電気量推定工程（ステップＳ３０）を行う。また、処理部４０は、第２のグループについて充電電気量を推定する第２の充電電気量推定工程（ステップＳ３１）を行う。なお、第１及び第２の充電電気量推定工程は、前述した充電電気量を推定する手順（図６のステップＳ２０〜Ｓ２５）と同様である。
【００７８】
第１及び第２のグループのそれぞれの充電電気量が推定されると、処理部４０は、推定された２つの充電電気量が対応する値であるか否かを判定する（ステップＳ３２）。２つの充電電気量の差が、所定の範囲内にあれば２つの充電電気量は対応する値であると判定し、所定の範囲内になければ２つの充電電気量は対応する値ではないと判定する。所定の範囲は、推定された充電電気量に対する割合に基づいて規定される範囲でもよいし、所定の電気量として規定される範囲であってもよい。また、２つの充電電気量が対応するとの判定条件は、２つの充電電気量のうちの一方の充電電気量に対して設定された所定の範囲に他方の充電電気量が含まれているという条件でもよいし、この条件に加えて、他方の充電電気量に対して設定された所定の範囲に一方の充電電気量が含まれているという条件を併せたものでもよい。
【００７９】
推定された２つの充電電気量が対応する値であると判定された場合（ステップＳ３２でＹＥＳ）、処理部４０は、電池１０にはばらつきがないと判定する（ステップＳ３３）。一方、推定された２つの充電電気量が対応する値ではないと判定された場合（ステップＳ３２でＮＯ）、処理部４０は、電池１０にはばらつきがあると判定する（ステップＳ３４）。なお、判定結果は、処理部４０で表示等に使用されてもよいし、外部に出力されてもよい。
【００８０】
そして、判定が終了すると、第２のばらつき判定は終了される。
以上説明したように、本実施形態の電池状態推定装置及び電池状態推定方法によれば、以下に記載するような効果が得られるようになる。
【００８１】
（１）複素インピーダンスＺの測定結果に基づいて電池１０の充電電気量を推定することができる。電池１０において、「拡散領域ｄ」の複素インピーダンスＺは、例えば０．１Ｈｚ以下の低周波数帯で測定されるため、測定に比較的時間を要するものの、低周波数帯のうちの２点だけを利用することで充電電気量の推定に要する時間を抑えることができるようになる。つまり、拡散領域内の周波数域が０．１Ｈｚ以下である場合が多く、例えば、測定に０．１Ｈｚ〜０．０１Ｈｚを利用したとしても、１０秒から１００秒程度の実用的な時間範囲での測定が可能である。
【００８２】
また、複素インピーダンスＺの変化が直線状であるので、２つの複素インピーダンスＺの測定周波数の選択に係る制約も少ないとともに、２つの複素インピーダンスの成分の差が取得しやすい。
【００８３】
なお、予め設定された情報は、モデルとなる１つの情報を用いてもよいが、電池１０の温度毎に設定された複数のモデルから選択したものであってもよい。
また、拡散領域内にある２つの複素インピーダンスＺの成分のうち、虚数成分を電池１０の電池状態の推定に利用することができるが、虚数成分と実数成分との間に相関がある場合、虚数成分を実数成分に置き換えて、実数成分を二次電池の電池状態の推定に利用することもできる。
【００８４】
（２）ばらつき判定部４８を有することにより、電池１０について、充電電気量のばらつきの有無を判定することができる。
（３）ばらつき判定部４８を有することにより、複数の単電池や複数の電池モジュールから構成される組電池について、充電電気量のばらつきの有無を判定することができる。
【００８５】
（４）「拡散領域ｄ」内にある２つの複素インピーダンスＺの虚数成分Ｚｉに基づいて電池状態を推定する。「拡散領域ｄ」内の複素インピーダンスＺは、低周波数側になると実数成分Ｚｒの変化量が小さくなる傾向にあるため、虚数成分Ｚｉを利用することで複素インピーダンスＺの測定角速度の選択自由度を高くすることができる。
【００８６】
（５）測定角速度についてその差の逆数に対する虚数成分の差の割合のさらに逆数をパラメータとし、このパラメータと、予め設定された情報であって、電池１０の電池状態とパラメータとの関係を示す情報とに基づいて二次電池の電池状態を推定することができるようになる。また、２つの複素インピーダンスＺの測定角速度の差として、測定角速度についてその差の逆数を用いることで、傾きの逆数を線形、もしくは線形に近いかたちで得ることができるようになる。
【００８７】
（６）「拡散領域ｄ」内にある２つの複素インピーダンスＺのうち、「直線領域ｄａ」は実数成分Ｚｒに対する虚数成分Ｚｉの変化率が「１」に近い範囲にあるため、虚数成分Ｚｉに代えて実数成分Ｚｒを利用することも可能である。
【００８８】
（７）ニッケル水素二次電池は、電圧とＳＯＣとの関係が比例関係ではないので電圧に基づいて充電電気量等の電池状態を推定することが困難である。本実施形態によれば、「拡散領域ｄ」内における複素インピーダンスＺの成分の変化に基づいて電池状態を推定することから、ニッケル水素二次電池にあっても、その電池状態を好適に推定することができるようになる。
【００８９】
（第２の実施形態）
図８〜図１１に従って、電池状態推定装置及び電池状態推定方法を具体化した第２の実施形態について説明する。本実施形態は、電池状態の一つである電池１０の温度を電池１０の複素インピーダンスから算出されたパラメータに基づいて推定する点が第１の実施形態と相違する。以下では、相違点を中心に説明し、説明の便宜上、同様の構成には同様の符号を付して詳細な説明を割愛する。
【００９０】
図８に示すように、電池１０の状態を測定する測定回路は、第１の実施形態の測定回路と同様である。すなわち、測定回路は、電池１０と、電池１０の端子間に接続された測定用充放電装置２０及び電圧測定器２１と、測定用充放電装置２０と電池１０との間に接続された電流測定器２２とを備える。また、電池１０には、電池１０の温度を測定する温度測定器２３が取り付けられている。
【００９１】
推定装置３０は、電圧測定器２１から電圧信号を取得し、電流測定器２２から電流信号を取得し、測定用充放電装置２０から交流電流の設定情報等を取得し、温度測定器２３から温度信号を取得する。また、推定装置３０は、処理部４０と、記憶部５０とを備える。
【００９２】
記憶部５０は、電池の温度を算出するために必要とされる、パラメータと充電電気量との相関データ５３と、算出用データ５２とを保持する。記憶部５０には、電池１０の温度毎にそれぞれ、パラメータと充電電気量との相関データ５３が記憶されている。
【００９３】
図９に示すように、相関データ５３には、電池１０の温度毎にパラメータと充電電気量との関係を示すグラフＬ９１〜Ｌ９４に対応する情報が含まれている。
処理部４０は、ＳＯＣ調節部４１と、温度測定部４２と、インピーダンス測定部４３と、ナイキスト線図作成部４４と、パラメータ算出部４５と、電池温度算出部４７とを備える。
【００９４】
電池温度算出部４７は、記憶部５０に設定されている電池１０の温度毎のパラメータと充電電気量との相関データ５３と、パラメータ算出部４５で算出したパラメータ「ＱＤ」とに基づいて、電池１０に推定される電池温度を算出する（温度推定工程）。
【００９５】
図９に示すように、相関データ５３は、電池１０の温度が１５℃、２５℃、３５℃、４５℃であるときのそれぞれのパラメータと充電電気量との相関データ５１からなるデータである。例えば、グラフＬ９１は電池温度が１５℃のときの相関データ５１であり、グラフＬ９２は電池温度が２５℃のときの相関データ５１であり、グラフＬ９３は電池温度が３５℃のときの相関データ５１であり、グラフＬ９４は電池温度が４５℃のときの相関データ５１である。例えば、電池１０のパラメータは、充電電気量の多少にかかわらず、温度が１５℃のときグラフＬ９１に示す傾きを有し、温度が２５℃のときグラフＬ９２に示す傾きを有し、温度が３５℃のときグラフＬ９３に示す傾きを有し、温度が４５℃のときグラフＬ９４に示す傾きを有している。
【００９６】
よって、一例としては、温度変化のない条件下において、異なる充電電気量で取得した２つのパラメータの傾きと、図９に示す各グラフＬ９１〜Ｌ９４の傾きとに基づいて電池１０の温度を推定することもできる。
【００９７】
本実施形態では、算出された１つのパラメータとそのときの電池１０の充電電気量とから特定される図９に示されるグラフ上の位置と、相関データ５３に含まれるグラフＬ９１〜Ｌ９４との対比に基づいて、電池１０に推定される温度が取得される。つまり、パラメータと充電電気量とから電池１０の温度として推定される。
【００９８】
図１０及び図１１を参照して、電池温度を推定するための相関データ５３の設定と、相関データ５３を利用しての電池温度の推定とについて説明する。
図１０に示すように、処理部４０は、温度毎のパラメータと充電電気量との関連を示す相関データ５３を取得するとともに、記憶部５０に記憶させる処理を実行することができる。また、図１１に示すように、処理部４０は、電池１０から取得した複素インピーダンスＺに基づいて当該電池１０の温度を推定する処理を実行することができる。
【００９９】
まず、図１０を参照して、相関データ５３を設定する手順について説明する。
処理部４０は、ＳＯＣ調整工程（ステップＳ４０）、電池温度測定工程（ステップＳ４１）、インピーダンス測定工程（ステップＳ４２）、パラメータ算出工程（ステップＳ４３）を備える。また、処理部４０は、温度毎にパラメータと充電電気量との相関データを算出する工程（ステップＳ４４）、及び、相関データ記憶工程（ステップＳ４５）を備える。なお、インピーダンス測定工程（ステップＳ４２）及びパラメータ算出工程（ステップＳ４３）はそれぞれ、第１の実施形態のインピーダンス測定工程（図２のステップＳ１２）及びパラメータ算出工程（図２のステップＳ１３）と同様の工程であるので、重複する説明は割愛する。
【０１００】
図１０に示すように、ＳＯＣ調整工程（ステップＳ４０）では、ＳＯＣ調節部４１で、電池１０のＳＯＣを取得し、必要な場合は電池１０のＳＯＣを調整する。
電池温度測定工程（ステップＳ４１）では、温度測定部４２で、現在の電池１０の温度を高い精度で取得するようにする。例えば、所定の環境温度下に所定の期間、端子間を開放した状態で静置した電池１０の表面温度を取得する。このように静置した電池１０であれば、極板等の電池内部の温度も表面温度に近くなっているため電池特性に強い影響を与える電池内部の温度を高い精度で得られるようになる。
【０１０１】
処理部４０は、インピーダンス測定工程（ステップＳ４２）で２つの複素インピーダンスを測定してから、パラメータ算出工程（ステップＳ４３）でパラメータを算出する。処理部４０は、電池温度とパラメータ「ＱＤ」と充電電気量との相関データを算出し（ステップＳ４４）、算出した充電電気量に対するパラメータ「ＱＤ」を温度毎にグラフＬ９１〜Ｌ９４の対応するデータとして記憶部５０に記憶させる（ステップＳ４５）。
【０１０２】
こうして設定されたデータに基づいて作成されるグラフＬ９１〜Ｌ９４によれば、電池１０の充電電気量（ＳＯＣ）が判明している条件に基づいて、パラメータ「ＱＤ」から電池１０の温度を推定することができるようになる。
【０１０３】
図１１を参照して、電池１０の温度を推定する手順について説明する。
処理部４０は、ＳＯＣ取得工程（ステップＳ５０）、インピーダンス測定工程（ステップＳ５１）、及び、パラメータ算出工程（ステップＳ５２）を備える。また、処理部４０は、相関データとパラメータとの対比工程（ステップＳ５４）、及び、温度推定工程（ステップＳ５５）を備える。なお、インピーダンス測定工程（ステップＳ５１）及びパラメータ算出工程（ステップＳ５２）はそれぞれ、第１の実施形態のインピーダンス測定工程（図２のステップＳ１２）及びパラメータ算出工程（図２のステップＳ１３）と同様の工程であるので、重複する説明は割愛する。
【０１０４】
ＳＯＣ取得工程（ステップＳ５０）では、処理部４０で、電池１０の現在のＳＯＣを公知の技術で取得する。処理部４０は、電池１０のＳＯＣを、ＳＯＣ調節部４１で測定してもよいし、外部から設定されたり入力したりしてよい。ここで取得されたＳＯＣを変換して得られる充電電気量が、電池温度毎のパラメータと充電電気量との相関データ５３（図９参照）との対比において適用される。なお、処理部４０は、ＳＯＣに代えて、充電電気量を取得してもよい。
【０１０５】
処理部４０は、インピーダンス測定工程（ステップＳ５１）で２つの複素インピーダンスを測定してから、パラメータ算出工程（ステップＳ５２）でパラメータを算出する。
処理部４０は、電池温度算出部４７で、充電電気量と算出されたパラメータとを、グラフＬ９１〜Ｌ９４と対比することで対応する１つのグラフＬ９１〜Ｌ９４を特定する（相関データとパラメータとの対比工程（ステップＳ５４））。そして処理部４０は、特定したグラフＬ９１〜Ｌ９４の対応する温度を取得して、この取得した温度を電池１０の温度として推定する（温度推定工程（ステップＳ５５））。例えば、図９を参照すると、パラメータが「ＱＤ＝１．０」、かつ、充電電気量が「２Ａｈ」であることに基づいて電池温度が「１５℃」であることが推定される。また例えば、パラメータが「ＱＤ＝１．６」、かつ、充電電気量が「３Ａｈ」であることに基づいて電池温度が「３５℃」であることが推定される。これにより、電池１０から測定された複素インピーダンスＺとＳＯＣ（充電電気量）とに基づいて電池１０の温度が推定されるようになる。
【０１０６】
以上説明したように、本実施形態の電池状態推定装置及び電池状態推定方法によれば、第１の実施形態に記載した（１）〜（７）の効果に加えて、以下に記載するような効果が得られるようになる。
【０１０７】
（８）複素インピーダンスＺの測定結果に基づいて電池１０の温度を推定することができる。電池１０において、「拡散領域ｄ」の複素インピーダンスＺは、例えば０．１Ｈｚ以下の低周波数帯で測定されるため、測定に比較的時間を要するものの、低周波数帯のうちの２点だけを利用することで電池の温度の推定に要する時間を抑えることができるようになる。
【０１０８】
また、通常、電池１０の温度は電池１０の表面で図られるため、充放電に強い影響を与える極板群の温度そのものを得ることはできなかった。この点、この構成によれば、電池１０の温度として、極板群内の電流が流れる部分の状態に基づいて極板群自体の温度が推定される。よって、電池１０の温度を高い精度で得ることができるようになる。
【０１０９】
（第３の実施形態）
図１３に従って、電池状態推定装置及び電池状態推定方法を具体化した第３の実施形態について説明する。本実施形態は、測定用充放電装置２０がインピーダンス測定用のステップ電流を電池１０に供給して電池１０の複素インピーダンスを測定する点が第１又は第２の実施形態と相違する。以下では、相違点を中心に説明し、説明の便宜上、同様の構成には同様の符号を付して詳細な説明を割愛する。
【０１１０】
測定用充放電装置２０は、インピーダンス測定用のステップ電流を電池１０に供給することができる。ステップ電流は、測定用の直流電流を構成する。測定用充放電装置２０は、所定のサイクルのステップ電流を生成し、この生成したステップ電流を電池１０の端子間に出力する。また、測定用充放電装置２０は、必要があれば、ステップ電流のサイクルを変化させることが可能である。測定用充放電装置２０は、ステップ電流のサイクルとが設定されており、この設定されたサイクルに対応するステップ電流を出力させる。ここで、サイクルは、一組のオン期間及びオフ期間や、一組の正極性期間及び負極性期間で構成されているものであり、ステップ電流は、サイクルを１回又は複数回の繰り返しで出力される。設定されるサイクルの期間としては、例えば、０．１Ｈｚから１ｍＨｚまでの範囲のうちの１つが挙げられる。設定されたサイクルに対して「（２×ｎ−１）倍」（但し、ｎは自然数）の周波数に対するインピーダンスを測定することが可能である。
【０１１１】
図１３（ａ）に示すように、測定用充放電装置２０は、測定対象の電池１０に対して、所定のサイクルのステップ電流（グラフＬ１３１参照）を印加する。印加するサイクルの回数は１回でも、複数回でもよい。また、このとき、測定対象の電池１０からは、所定のサイクルのステップ電流（グラフＬ１３１参照）に対応する応答電圧（グラフＬ１３２参照）が出力される。そして、ステップ電流（グラフＬ１３１参照）及び、応答電圧（グラフＬ１３２参照）をそれぞれ処理部４０でフーリエ変換する。
【０１１２】
図１３（ｂ）に示すように、フーリエ変換によって、ステップ電流（グラフＬ１３１参照）に対応する電流の周波数応答（グラフＬ１３３参照）、応答電圧（グラフＬ１３２参照）に対する電圧の周波数応答（グラフＬ１３４参照）が得られる。つまり、正弦波に対応する角速度が測定角速度として定まる。よって、本実施形態では、ステップ電流や応答電圧をフーリエ変換することで正弦波に対応する周波数（角速度）特性が得られ、このとき得られた周波数（角速度）が測定角速度であって、この測定角速度に基づいて複素インピーダンスのナイキスト線図が作成される。
【０１１３】
図１３（ｃ）に示すように、電流の周波数応答（グラフＬ１３３参照）及び電圧の周波数応答（グラフＬ１３４参照）に基づいて処理部４０で複素インピーダンスを算出し、算出した複素インピーダンスのナイキスト線図（グラフＬ１３５参照）を作成する。つまり、ステップ応答の過渡応答を解析することで、正弦波に対応する角速度が測定角速度となるようにインピーダンスが測定される。例えば、電流の周波数応答と電圧の周波数応答とに基づいて、各周波数におけるインピーダンスがオームの法則「Ｚ（抵抗）＝Ｖ（電圧）／Ｉ（電流）」から求められる。
【０１１４】
ステップ電流のサイクルは、電池１０から測定されるインピーダンスに「拡散領域ｄ」が含まれる、より好ましくは、「拡散領域ｄ」のうちの「直線領域ｄａ」が含まれるように設定されている。
【０１１５】
そして、算出されたインピーダンスを、複素インピーダンスＺに関連するパラメータ「ＱＤ」と電池１０の充電電気量との関係を示す情報と比較することで充電電気量を推定可能である。
【０１１６】
また、算出されたインピーダンスを、電池１０の充電電気量（ＳＯＣ）が判明している条件に基づいて、パラメータ「ＱＤ」から電池１０の温度を推定することができるようになる。
【０１１７】
以上説明したように、本実施形態の電池状態推定装置及び電池状態推定方法によれば、第１の実施形態に記載した（１）〜（８）の効果に加えて、以下に記載するような効果が得られるようになる。
【０１１８】
（９）電池１０にステップ電流を入力することによっても、電池１０のインピーダンスを算出することができるようになる。
（その他の実施形態）
なお、上記各実施形態は以下の形態にて実施することもできる。
【０１１９】
・上記各実施形態は、技術的に矛盾のない範囲で相互に組み合わせることができる。
・上記第３の実施形態において、ステップ電流のサイクルの期間ごとの電池１０の負荷応答と、交流電流の周波数毎の電池１０の負荷応答とを関連付ける。そして、この関連付けに、電池１０のステップ電流に対する負荷応答を適用することに基づいて、交流電流に対応する負荷応答を取得するようにしてもよい。これにより、フーリエ変換等の算出を減らすことができる。
【０１２０】
例えば、図１４に示すように、ステップ電流に対する抵抗情報と、交流電流に対する抵抗情報との関係をグラフＬ１４１や関数ｆ（ｘ）として設定しておくことで、電池のステップ電流に対する負荷応答を取得し、この取得した負荷応答に対応する交流電流に対する負荷応答等を得ることができるようになる。なお、ステップ電流に対する抵抗情報は、ステップのサイクルや電流値や電圧値が含まれた情報であり、交流電流に対する抵抗情報は、交流周波数、電流値、電圧値及びインピーダンスが含まれた情報である。
【０１２１】
・上記第３の実施形態では、設定されるサイクルとして０．１Ｈｚから１ｍＨｚまでの範囲のうちの１つが挙げられる場合について例示した。しかし、これに限られるものではなく、設定されるサイクルで測定できるインピーダンスが「拡散領域ｄ」を含んでいるものであれば、サイクルが０．１Ｈｚよりも高くなってもよいし、１ｍＨｚよりも低くなってもよい。
【０１２２】
・上記第３の実施形態では、サイクルを有するステップ電流に対する電池１０の過渡応答を解析することでインピーダンスを算出する場合について例示した。しかし、これに限らず、ステップが上がるときの１つ又は複数の過渡応答や、ステップが下がるときの１つ又は複数の過渡応答を解析することでインピーダンスを算出してもよい。例えば、ステップのサイクル長が過渡応答の収束時間以上であれば、ステップ電流の印加は、直流電流の印加と見なしてもよい。逆に、ステップのサイクル長が、過渡応答の収束時間に比べて十分に短ければ、ステップ電流の印加は、交流電流の印加と見なしてもよい。
【０１２３】
・上記第３の実施形態では、ステップ電流を印加し、電圧の応答を測定する場合について例示した。これに限らず、ステップ電圧を印加し、電流の応答を測定してもよい。いずれにしても、インピーダンスを測定することができる。
【０１２４】
・上記第１及び第２の実施形態では、正弦波の交流電流を印加し、上記第３の実施形態では、ステップ電流を印加する場合について例示した。しかしこれに限らず、電池の過渡応答を得ることができるのであれば、三角波やその他の波形形状の電流等を印加してもよい。
【０１２５】
・上記各実施形態では、電池１０が測定回路に接続されている場合について例示したが、これに限らず、電池は、測定回路に加えて、図示しない開閉器などを介して負荷や充電器等に接続されていてもよい。例えば、車載されている電池であれば、電池を駆動用の電源として利用しつつ、必要に応じて複素インピーダンスの測定を行い、当該電池の電池状態を推定することができる。
【０１２６】
・上記各実施形態では、電池１０はニッケル水素二次電池である場合について例示したが、これに限らず、ニッケルカドミウム電池等その他のアルカリ二次電池や、リチウムイオン二次電池等の二次電池であってもよい。
【０１２７】
・上記各実施形態では、複素インピーダンスＺの成分のうち虚数成分Ｚｉを用いてパラメータを算出する場合について例示したが、これに限らず、複素インピーダンスＺの成分のうち実数成分Ｚｒを用いてパラメータＱＤを算出してもよい。このとき、相関データも、実数成分Ｚｒを用いたパラメータに基づいて設定すれば、充電電気量を推定することができる。また、このパラメータに併せて電池の温度毎に充電電気量とパラメータとの関係を示す相関データを予め準備すれば電池の温度を推定することもできる。例えば、「直線領域ｄａ」は実数成分Ｚｒに対する虚数成分Ｚｉの変化率が「１」に近い範囲にあるため、虚数成分Ｚｉに代えて実数成分Ｚｒを利用したとしても、電池１０の複素インピーダンスＺから充電電気量や電池温度を推定することができる。
【０１２８】
・上記第１の実施形態では、第２のばらつき判定を行うとき、電池１０を構成する単電池等を複数のグループに分ける場合について例示した。このとき、電池を構成する一部の単電池や電池モジュールを複数にグループ分けてもよい。これによっても、サンプリング的な検査を行うことができる。
【０１２９】
また、逆に、一部の単電池等が重複して複数のグループに含まれていてもよい。これによっても、充電電気量の差の大きい電池等を絞り込むことができる。
・上記第１の実施形態では、第２のばらつき判定を行うとき、２つのグループの総容量が同じ容量である場合について例示した。しかしこれに限らず、２つのグループの総容量の差について補正を行うことができるのであれば、２つのグループの総容量が相違していてもよい。
【０１３０】
・上記第１の実施形態では、第２のばらつき判定を行うとき、電池１０を構成する単電池等を２つのグループに分ける場合について例示した。しかしこれに限らず、単電池等は、３つ以上のグループに分けられて、それらが比較されてもよい。
【０１３１】
・上記第１の実施形態では、ばらつき判定部４８は、第１のばらつき判定で、電池１０が満充電であることに基づいて電池１０を構成する各電池について充電電気量にばらつき判定を行う場合について例示した。しかしこれに限らず、第１のばらつき判定が、電池が所定のＳＯＣであることに基づいてばらつき判定を行ってもよい。このとき、電池が所定のＳＯＣであることを、周知の技術で推定するようにすればよい。
【０１３２】
・上記第１の実施形態では、ばらつき判定部４８が設けられる場合について例示したが、これに限らず、ばらつき判定が不要であれば、ばらつき判定部は設けられなくてもよい。
【０１３３】
・上記第１の実施形態では、電池１０の温度を所定の温度にする場合について例示したが、これに限らず、図９に示すように、相関データを電池の温度毎に設けるとともに、電池の温度を取得することで、電池の温度に対応した相関データから充電電気量を取得するようにしてもよい。これにより、電池の温度を考慮して充電電気量を高い精度で推定することができる。
【０１３４】
・上記各実施形態では、パラメータ「ＱＤ」が式（２）や式（３）から算出される場合について例示した。しかしこれに限らず、式（２）に表現される理論を示す算出式であればその表現形式は式（２）や式（３）に限られない。
【０１３５】
・上記各実施形態では、２つの複素インピーダンスＺが「拡散領域ｄ」のうちの「直線領域ｄａ」にある場合について例示した。しかしこれに限らず、２つの複素インピーダンスの測定角速度の差と２つの複素インピーダンスの虚数成分の差とが得られるのであれば、２つの複素インピーダンスのうちの一方が「拡散領域ｄ」のうちの「領域ｄｂ」や「垂直領域ｄｃ」などの領域にあってもよい。これによっても、他方の複素インピーダンスが「直線領域ｄａ」にあることで取得に要する時間を抑えることができるようになる。
【０１３６】
・上記各実施形態では、２つの複素インピーダンスの測定角速度の差として、測定角速度についてその差の逆数を用いることで、パラメータを線形、もしくは線形に近いかたちで得る場合について例示した。しかしこれに限らず、２つの複素インピーダンスの測定角速度の差として、測定角速度についてその差をそのまま用いてもよい。パラメータが線形ではないにかたちで得られるが、このパラメータと電池状態との間に相関関係を得ることができる。
【０１３７】
・上記各実施形態では、電池１０が電気自動車もしくはハイブリッド自動車に搭載される場合について例示したが、これに限らず、電池は、ガソリン自動車やディーゼル自動車等の車両に搭載されてもよい。また電池は、鉄道、船舶、航空機やロボット等の移動体や、情報処理装置等の電気製品等の固定設置の電源として用いられてもよい。
【符号の説明】
【０１３８】
１０…電池、２０…測定用充放電装置、２１…電圧測定器、２２…電流測定器、２３…温度測定器、３０…推定装置、４０…処理部、４１…ＳＯＣ調節部、４２…温度測定部、４３…インピーダンス測定部、４５…パラメータ算出部、４６…電気量算出部、４７…電池温度算出部、４８…ばらつき判定部、５０…記憶部、５１…相関データ、５２…算出用データ、５３…相関データ。
【図１】
2019117180.tif 000008
【図２】
2019117180.tif 000009
【図３】
2019117180.tif 000010
【図４】
2019117180.tif 000011
【図５】
2019117180.tif 000012
【図６】
2019117180.tif 000013
【図７】
2019117180.tif 000014
【図８】
2019117180.tif 000015
【図９】
2019117180.tif 000016
【図１０】
2019117180.tif 000017
【図１１】
2019117180.tif 000018
【図１２】
2019117180.tif 000019
【図１３】
2019117180.tif 000020
【図１４】
2019117180.tif 000021